(57)【要約】【課題】植栽の上側を歩行することができる、植栽支持構造を提供する。【解決手段】植栽支持構造１０は、トレー１２を含む。トレー１２内には、支持基材１４が配置される。支持基材１４は、コケ類、地衣類、セダム、天然芝等の植栽Ｐを支持する。トレー１２には、トレーカバー１６が着脱自在に取付けられ、支持基材１４との間に、植栽Ｐを生育させ繁殖させる繁殖空間Ｓが構成される。トレーカバー１６は、剛性を有する基盤２４を含む。基盤２４は、その一方主面から他方主面に貫通される複数の通気部２６を有する。基盤２４の下面には、基盤２４から下に延び設けられるように配置され、植栽Ｐを生育させ繁殖させる繁殖担持部２８が配設される。繁殖担持部２８は、たとえば基盤２４の下面に密植された植毛体３０を含む。【選択図】図１
2006187243.tif 000002
【特許請求の範囲】
【請求項１】
トレー、
前記トレー内に配置され、コケ類、地衣類、セダム、天然芝等の植栽を支持する支持基材、および
前記トレーに着脱自在に取付けられ、前記支持基材との間に、前記植栽を生育させ繁殖させる繁殖空間が構成されるようにしたトレーカバーを含み、
前記トレーカバーは、
剛性を有する基盤、
前記基盤の一方主面から他方主面に貫通される複数の通気部、および
前記基盤の下面から下に延び設けられるように配置され、前記植栽を生育させ繁殖させる繁殖担持部を含むことを特徴とする、植栽支持構造。
【請求項２】
前記繁殖担持部は、前記基盤の下面に植毛された植毛体を含むことを特徴とする、請求項１に記載の植栽支持構造。
【発明の詳細な説明】
【技術分野】
【０００１】
本願発明は、植栽支持構造に関し、特に、例えば、建築物の屋上、外壁、屋根等に施される緑化工法等に適用される、植栽支持構造に関する。
【背景技術】
【０００２】
本願発明の背景となる従来の先行技術には、ビルの屋上等の下地躯体の上に設けられた防水層の上面に植栽マットを直接敷設して、固定部材と係止部材とで着脱可能に固定した植栽支持構造があった（例えば、特許文献１の図１参照）。また、植栽マットを収容するための植栽トレーを防水層の上面に設置した後に、植栽マットおよび／または植栽トレーを固定部材と係止部材とでもって分離可能に固定するようにした植栽支持構造があった（例えば、特許文献１の図２〜図６参照）。これらの植栽支持構造によれば、植栽マットまたは植栽トレーの交換が容易に行える。
【０００３】
【特許文献１】特開２００３−２１９７２９号公報（図１〜図６）
【発明の開示】
【発明が解決しようとする課題】
【０００４】
しかしながら、このような従来の植栽支持構造では、植栽マットの上面が露出した状態となっているので、植栽された植物を人の足で傷めてしまう恐れがあり、植栽マットあるいは植栽マットを収容した植栽トレーの上を人が歩行することは困難であった。そのため、植栽の手入れ、および／または、植栽トレーの点検等のためのメンテナンス作業を行うことが困難となっていた。このような足場状況を改善するために、たとえば植栽マットあるいは植栽マットを収容した植栽トレーが敷設された範囲の一部分に、人が歩行できる通路を別個に設けることが提案されるが、この場合、緑化される敷設面全体でみると、その一部分に緑化されていない欠損部分ができるため、美観的にも好ましいものとは言えず、緑化デザインの設計上でも制約ができてしまう。
【０００５】
それゆえに、本願発明の主たる目的は、植栽の上側を歩行することができる、植栽支持構造を提供することである。
【課題を解決するための手段】
【０００６】
請求項１にかかる本願発明は、トレーと、トレー内に配置され、コケ類、地衣類、セダム、天然芝等の植栽を支持する支持基材と、トレーに着脱自在に取付けられ、支持基材との間に、植栽を生育させ繁殖させる繁殖空間が構成されるようにしたトレーカバーとを含み、トレーカバーは、剛性を有する基盤と、基盤の一方主面から他方主面に貫通される複数の通気部と、基盤の下面から下に延び設けられるように配置され、植栽を生育させ繁殖させる繁殖担持部とを含むことを特徴とする、植栽支持構造である。
請求項２にかかる本願発明は、請求項１にかかる発明に従属される発明であって、繁殖担持部は、基盤の下面に植毛された植毛体を含むことを特徴とする、植栽支持構造である。
【０００７】
［作用］
請求項１にかかる本願発明では、コケ類、地衣類、セダム、天然芝等の植栽が、支持基材によって支持される。トレーにトレーカバーが取付けられることによって、トレーカバーの下側と支持基材の上側との間には、植栽を生育させ繁殖させる繁殖空間が構成される。支持基材に支持された植栽は、トレーカバーによって保護される。
また、トレーカバーの基盤は、剛性を有するため、トレーカバーがトレーに取付けられた場合、該基盤の盤剛性により、基盤上面に人が歩行可能となる。さらに、基盤に設けられた複数の通気部を介して、外気（空気中）から、植栽に必要な水分、養分および光等がトレー内にとりこまれる。植栽は、該水分、養分および光等によって、繁殖担持部で生育され繁殖される。繁殖担持部は、生育される植栽を担持する。
請求項２にかかる本願発明では、繁殖担持部が植毛体で形成されているので、植栽が、特に、たとえばコケ類および地衣類の場合、それらを植毛体に絡み付かせるようにして密生させることが可能となる。この場合、該コケ類および地衣類は、トレーカバーの保護作用と、植毛体の密生作用との協働作用によって、風害および鳥害等からの被害が防止される。
【発明の効果】
【０００８】
本願発明によれば、植栽の上側を歩行することができる、植栽支持構造が得られる。そのため、植栽の手入れ、および／または、トレーの点検等のためのメンテナンス作業が簡単に行うことができる。
【０００９】
この発明の上述の目的，その他の目的，特徴および利点は、図面を参照して行う以下の発明を実施するための最良の形態の詳細な説明から一層明らかとなろう。
【発明を実施するための最良の形態】
【００１０】
図１は、本願発明にかかる植栽支持構造の一例を示す一部省略断面図解図である。図２は、図１に示す植栽支持構造を建築物の屋上緑化等に用いた状態を示す要部平面図解図である。
植栽支持構造１０は、たとえば合成樹脂材料で形成されたトレー１２を含む。トレー１２は、その底面および／または側面に排水孔（図示せず）を有する。トレー１２の内底面１２Ａには、支持基材１４が配設される。支持基材１４は、たとえば不織布で形成され、コケ類（スナゴケ，ハイゴケ）、地衣類、セダム、天然芝等の植栽Ｐを支持するものである。
【００１１】
一方、トレー１２には、たとえば合成樹脂材料で形成されたトレーカバー１６が、係合手段１８により、着脱自在に取付けられる。係合手段１８は、たとえばトレー１２の上端縁面の一部に一体的に形成されたスナップ凸片２０と、トレーカバー１６の下端縁面の一部に一体的に形成された凹片２２とで形成される。スナップ凸片２０および凹片２２が係合されることによって、トレー１２とトレーカバー１６とが着脱自在に取付けられる。この場合、スナップ凸片２０および凹片２２は、それらの有する弾性により、互いに係止されるものである。
【００１２】
なお、係合手段１８は、スナップ凸片２０および凹片２２で構成されるもの以外に、例えば、突起と穴による係合、みぞ嵌めによる係合、抜差しピンによる係合等種々の係合により構成され得るものである。
【００１３】
トレーカバー１６は、該トレーカバー１６がトレー１２に取付けられた場合、支持基材１４の上側に、つまり、トレーカバー１６の下面と支持基材１４との上面との間に、植栽Ｐを生育させ繁殖させる繁殖空間（スペース）Ｓが構成されるように配設される。
この場合、トレーカバー１６は、剛性を有するたとえば合成樹脂材料で形成された基盤２４を含む。基盤２４は、その上に人が載って歩行した場合にでも、該基盤２４が損傷しない程度の強度を有するものである。基盤２４は、間隔を隔てて配置された複数の通気部２６を有する。通気部２６は、基盤２４の一方主面から他方主面にかけて貫通される貫通口で構成されている。
【００１４】
また、基盤２４の下面側には、植栽Ｐを生育させ繁殖させる繁殖担持部２８が配設される。すなわち、繁殖担持部２８は、たとえば植毛体３０を含む。植毛体３０は、たとえば合成樹脂材料、天然樹脂材料、ガラス繊維材料、その他の繊維材料、金属材料等で形成されている。植毛体３０は、基盤２４の下面から下に延び設けられている。植毛体３０は、基盤２４の下面に設けられた植毛基部３２に密植した状態で植毛されている。植毛基部３２は、たとえば基盤２４と一体的に形成されている。
【００１５】
上述した実施形態例にかかる植栽支持構造１０では、コケ類、地衣類、セダム、天然芝等の植栽Ｐが、支持基材１４によって支持・保持されている。また、トレー１２にトレーカバー１６が取着されることによって、トレーカバー１６の下側と支持基材１４の上側との間に、植栽Ｐを生育させ繁殖させる繁殖空間Ｓが設けられる。この場合、トレーカバー１６によって、支持基材１４に支持された植栽Ｐが保護されている。
【００１６】
本実施形態例にかかる植栽支持構造１０は、建築物の屋上、外壁、屋根等の設置面に施される緑化工法に適用され得る。この場合、例えば、トレー１２とトレーカバー１６とが取付けられ、トレー１２の下面が、建築物の屋上等の下地１００の設置面１００Ａの上に載置される。そして、トレー１２の下面に接着剤４０等が塗布され、トレー１２の下面が設置面１００Ａに固着される。なお、上述したトレー１２は、温度や湿度、酸，アルカリ，油，溶剤等に影響されない耐候性に優れたポリプロピレン（ＰＰ）等の合成樹脂材料で形成されることが好ましく、トレーカバー１６は、接着性のよいポリスチレン（ＰＳ）等の合成樹脂材料で形成されることが好ましい。
【００１７】
さらに、基盤２４に設けられた複数の通気部２６を介して、外気（空気中）から、植栽Ｐに必要な水分、養分および光等がトレー１２内にとりこまれる。植栽Ｐは、水分、養分および光等によって、繁殖担持部２８で生育され繁殖される。この場合、繁殖担持部によって、生育される植栽が担持される。
すなわち、本実施形態例にかかる植栽支持構造１０では、繁殖担持部２８が密植された植毛体３０で形成されているので、植栽Ｐが、特に、たとえばコケ類および地衣類の場合、それらを植毛体３０に絡み付かせるようにして密生させることができる。そのため、コケ類および地衣類は、トレーカバー１６の保護作用と、植毛体３０の密生作用とによって、風害および鳥害等からの被害も防止することができる。
【００１８】
さらに、トレーカバー１６の基盤２４は、剛性を有するため、トレーカバー１６がトレー１２に取付けられ、建築物の屋上等の設置面１００Ａに敷設された場合、基盤２４の盤剛性により、基盤２４の上面で人の歩行が可能となる。この場合、基盤２４全体に人の荷重が分散され、トレー１２全体にかかる荷重も分散されるので、基盤２４の上面のどの箇所に人が歩行しても問題がない。そのため、本実施形態例にかかる植栽支持構造１０では、植栽Ｐの手入れ、トレー１２およびトレーカバー１６の点検等のためのメンテナンス作業を支障なく行うことができる。したがって、この植栽支持構造１０が、建築物の屋上、外壁、屋根等の設置面に施される緑化工法に適用された場合、緑化デザインの設計上での制約がなくなり、緑化面全体の美観を優れたものとなる。
本実施形態例にかかる植栽支持構造１０では、トレーカバー１６の基盤２４が盤剛性を有すると共に、基盤２４の下面に繁殖担持部２８が密植された植毛体３０を有しているので、基盤２４上での人の歩行が難なく行えると共に、コケ類および地衣類等の植栽Ｐが植毛体３０に絡み付いて密生することができる、という２つの作用・効果を併せ持つことになる。この場合、本植栽支持構造１０では、従来技術のように、植栽Ｐを育成させる育成マット等を別途植栽トレー内に配置する必要がなく、繁殖担持部２８トレー１２にトレーカバー１６を取付けるだけでよいため、部材点数も少ないものとなり、作業効率もよいものとなる。
【図面の簡単な説明】
【００１９】
【図１】本願発明にかかる植栽支持構造の一例を示す一部省略断面図解図である。
【図２】図１に示す植栽支持構造を建築物の屋上緑化等に用いた状態を示す要部平面図解図である。
【符号の説明】
【００２０】
１０  植栽支持構造
１２  トレー
１４  植栽支持基材
１６  トレーカバー
１８  係合手段
２０  スナップ凸片
２２  凹片
２４  基盤植毛基部
２６  通気部
２８  繁殖担持部
２６  係止手段
２８  繁殖担持部
３０  植毛体
３２  植毛基部
Ｐ  植栽
Ｓ  繁殖空間（スペース）
【図１】
2006187243.tif 000003
【図２】
2006187243.tif 000004